(57)【要約】      （修正有）【課題】打弦時における音の伸びおよび音質をいずれも向上させることができるピアノの駒を提供する。【解決手段】弦６の振動を響板に伝えるためのピアノＰの駒１は、響板の上面に取り付けられた駒本体２と、金属で構成され、駒本体２の上面に設けられるとともに、弦６を横方向に移動不能に係止する駒ピン４，５と、金属で構成され、駒本体２の上面に設けられるとともに、弦６が駒本体２の上面に対して所定の間隙を存する状態で弦６を下方から支持する駒枕３と、を備える。【選択図】図３
2012208319.tif 000002
【特許請求の範囲】
【請求項１】
弦の振動を響板に伝えるためのピアノの駒であって、
当該響板の上面に取り付けられた駒本体と、
金属で構成され、前記駒本体の上面に設けられるとともに、前記弦を横方向に移動不能に係止する弦係止部材と、
金属で構成され、前記駒本体の上面に設けられるとともに、前記弦が前記駒本体の上面に対して所定の間隙を存する状態で当該弦を下方から支持する弦支持部材と、
を備えることを特徴とするピアノの駒。
【請求項２】
前記弦支持部材は、複数の弦支持部材で構成され、
当該複数の弦支持部材の各々は、１本の前記弦を点接触状態で支持することを特徴とする請求項１に記載のピアノの駒。
【発明の詳細な説明】
【技術分野】
【０００１】
本発明は、弦を支持するために、響板の上面に取り付けられるピアノの駒に関する。
【背景技術】
【０００２】
従来、ピアノの駒として、特許文献１に記載されたものが知られている。この駒は、響板の上面に取り付けられた木製の駒本体と、この駒本体の上面に配置された金属製の丸棒とを備えている。このピアノの弦は、張力によって駒の丸棒に上方から当接した状態に保持されている。
【先行技術文献】
【特許文献】
【０００３】
【特許文献１】特開平８−４４３４１号公報
【発明の概要】
【発明が解決しようとする課題】
【０００４】
上記従来のピアノの駒によれば、弦を張力によって丸棒に当接した状態に保持しているものに過ぎないので、弦がハンマーによって打弦された際、弦が丸棒に対して横ずれなどを生じてしまい、その振動エネルギがバックストリングス側に効率よく伝達されない状態となる。その結果、音の伸びが低下するとともに、共振による倍音の生成効果が低下し、音質が損なわれてしまう。
【０００５】
本発明は、上記課題を解決するためになされたもので、打弦時における音の伸びおよび音質をいずれも向上させることができるピアノの駒を提供することを目的とする。
【課題を解決するための手段】
【０００６】
上記目的を達成するために、請求項１に係る発明は、弦の振動を響板に伝えるためのピアノの駒であって、響板の上面に取り付けられた駒本体と、金属で構成され、駒本体の上面に設けられるとともに、弦を横方向に移動不能に係止する弦係止部材と、金属で構成され、駒本体の上面に設けられるとともに、弦が駒本体の上面に対して所定の間隙を存する状態で弦を下方から支持する弦支持部材と、を備えることを特徴とする。
【０００７】
このピアノの駒によれば、弦が、金属で構成された弦係止部材によって横方向に移動不能に係止されているとともに、金属で構成された弦支持部材によって、弦が駒本体の上面に対して所定の間隙を存する状態で下方から支持されているので、弦がハンマーによって打弦された際、発音弦が、弦支持部材に対して横ずれなどを生じることなく、かつ駒本体に接触することがないように、弦係止部材および弦支持部材に支持された状態で振動する。それにより、従来の丸棒のみで支持する駒を用いた場合と比べて、発音弦の振動エネルギの損失を抑制できるとともに、そのような振動エネルギをバックストリングスに効率よく伝達することができる。その結果、打弦時における音の伸びを向上させることができるとともに、共振による倍音の発生効果を高めることができ、音質を向上させることができる。
【０００８】
請求項２に係る発明は、請求項１に記載のピアノの駒において、弦支持部材は、複数の弦支持部材で構成され、複数の弦支持部材の各々は、１本の弦を点接触状態で支持することを特徴とする。
【０００９】
このピアノの駒によれば、１本の弦が複数の弦支持部材の各々によって点接触状態で支持されるので、発音弦の振動エネルギの損失をさらに抑制できるとともに、振動エネルギのバックストリングス側への伝達効率をさらに向上させることができる。それにより、打弦時における音の伸びおよび音質をさらに向上させることができる。
【図面の簡単な説明】
【００１０】
【図１】本発明の一実施形態に係る駒およびこれを適用したグランドピアノの高温部の張弦構造を示す断面図である。
【図２】駒の、１つの鍵に対応する部分の構成を示す平面図である。
【図３】図２のＸ−Ｘ線に沿う断面図である。
【図４】駒の変形例の構成を示す平面図である。
【図５】図４のＹ−Ｙ線に沿う断面図である。
【図６】駒の他の変形例の構成を示す図である。
【図７】駒のさらに他の変形例の構成を示す図である。
【発明を実施するための形態】
【００１１】
以下、図面を参照しながら、本発明の一実施形態に係るピアノの駒について説明する。図１に示すように、本実施形態の駒としての長駒１を組み込んだピアノＰは、グランドピアノタイプのものであり、フレーム１０、多数の弦６（１本のみ図示）、多数のハンマー７（１つのみ図示）および響板８などを備えている。なお、以下の説明では、ピアノＰにおいて、演奏者側を「前側」、演奏者の反対側を「後ろ側」、演奏者の左側を「左側」、演奏者の右側を「右側」とそれぞれいう。
【００１２】
フレーム１０は、金属製のものであり、弦枕１１、カポ・ダストロ・バー１２および三角枕１３などを備えている。このフレーム１０では、これらの弦枕１１、カポ・ダストロ・バー１２および三角枕１３が互いに一体に形成されている。さらに、フレーム１０には、多数のチューニングピン１４および多数のヒッチピン１５（いずれも１つのみ図示）が取り付けられている。
【００１３】
また、図１に示す弦６は高音部用のものであり、１鍵当たり３本の弦６が設けられている（図２参照）。各弦６は、前後方向に延びており、弦枕１１、カポ・ダストロ・バー１２、長駒１および三角枕１３を介して、チューニングピン１４とヒッチピン１５との間に掛け渡されている。
【００１４】
さらに、図２および図３に示すように、長駒１は、駒本体２、駒枕３、前側駒ピン４および後ろ側駒ピン５を備えている。駒本体２は、木製のものであり、響板７上に固定されている。また、高温部の鍵（図示せず）に対しては、１鍵当たり、３本の弦６を保持するために、３本の前側駒ピン４，４，４および３本の後ろ側駒ピン５，５，５が設けられている。
【００１５】
さらに、駒本体２の上面には、断面半円形の溝２ａが形成されており、この溝２ａは、前側駒ピン４の列および後ろ側駒ピン５の列と平行に延びている。駒枕３（駒支持部材）は、黄銅製のものであり、円柱状に形成され、その上半部が駒本体２から突出しているとともに、下半部が駒本体２の溝２ａ内に嵌め込まれている。
【００１６】
また、各前側駒ピン４および各後ろ側駒ピン５は、金属製のものであり、打ち込まれることによって、駒本体２に固定されている。弦６は、張力によって、上方から駒枕３に点接触した状態に保持されているとともに、左右方向に屈曲しながら（横こじされながら）点接触した状態で、前側駒ピン４および後ろ側駒ピン５に係止されている。また、弦６は、駒枕３によって、駒本体２の上面との間に所定の間隔を存する状態に保持されているとともに、この所定の間隔は、打弦時、弦６が駒本体２に接触しないように設定されている。
【００１７】
さらに、弦６では、カポ・ダストロ・バー１２と前側駒ピン４との間の部分が、発音弦６ａとなっており、後ろ側駒ピン５と三角枕１３との間の部分が、バックストリングス６ｂとなっている。
【００１８】
以上のように構成されたピアノＰでは、対応する鍵の押鍵に伴い、ハンマー７によって弦６が打弦されると、発音弦６ａの振動が駒本体２を介して響板８に伝達されると同時に、前側駒ピン４、駒枕３および後ろ側駒ピン５を介して、バックストリングス６ｂに伝達される。それにより、バックストリングス６ｂにおいて、発音弦６ａとの共振に伴い、倍音が生成される。その際、弦６が、いずれも金属製の前側駒ピン４および後ろ側駒ピン５によって、横こじ状態でかつ横方向に移動不能に係止されているとともに、金属製の駒枕３によって、駒本体２の上面に対して所定の間隙を存する状態で下方から支持されているので、発音弦６ａは、駒枕３に対して横ずれなどを生じることなく、かつ駒本体２に接触することがないように、駒ピン４，５および駒枕３に支持された状態で振動するとともに、その振動が弦６と点接触しているおよび駒ピン４，５を介してバックストリングス６ｂに伝達される。それにより、従来の丸棒のみで支持する駒を用いた場合と比べて、発音弦６ａの振動エネルギの損失を抑制できるとともに、そのような振動エネルギをバックストリングス６ｂに効率よく伝達することができる。その結果、打弦時における音の伸びを向上させることができるとともに、共振による倍音の発生効果を高めることができ、音質を向上させることができる。
【００１９】
なお、実施形態は、本発明の駒を長駒１に適用した例であるが、これに代えて、本発明の駒を短駒に適用してもよい。
【００２０】
また、実施形態は、本発明の駒をグランドピアノタイプのピアノＰに適用した例であるが、本発明の駒はこれに限らず、駒および響板を有するピアノに適用可能である。例えば、本発明の駒をアップライトピアノに適用してもよい。
【００２１】
さらに、実施形態は、弦係止部材として、駒ピン４，５を用いた例であるが、本発明の弦係止部材はこれに限らず、弦を横方向に移動不能に係止するものであればよい。例えば、弦係止部材として、弦６を係止するための溝を駒枕３に形成したもの（すなわち弦係止部材および駒支持部材を一体に形成したもの）を用いてもよい。なお、弦係止部材の材質は、良好な音響特性が得られる金属であればよい。
【００２２】
さらに、実施形態は、駒支持部材として、黄銅製の駒枕３を用いた例であるが、本発明の駒支持部材はこれに限らず、金属製のものであればよい。例えば、駒支持部材として、鋼鉄製のものやチタン製のものを用いてもよく、良好な音響特性が得られる材質の金属製のものであればよい。
【００２３】
一方、実施形態は、駒支持部材としての１つの駒枕３を有する駒１を用いた例であるが、本発明の駒はこれに限らず、複数の駒支持部材を有する駒を用いてもよい。例えば、実施形態の長駒１に代えて、図４，５に示す長駒１Ａを用いてもよい。両図に示すように、この長駒１Ａの場合、前述した長駒１と比較すると、駒支持部材としての駒枕３Ａ，３Ａを備えている点と、２つの溝２ｂ，２ｂが駒本体２の上面に形成されている点以外は、長駒１と同様に構成されているので、以下、同じ構成については、同じ符号を付すとともに、その説明は省略する。
【００２４】
この長駒１Ａの場合、駒枕３Ａ，３Ａの各々は、前述した駒枕３と同一の形状および材質で構成されている。また、長駒１Ａの駒本体２には、２本の溝２ｂ，２ｂがそれぞれ２つの駒ピン４，５に近接する位置に形成されており、これらの溝２ｂ，２ｂは、互いに平行に、かつ前側駒ピン４の列および後ろ側駒ピン５の列と平行に延びている。各駒枕３Ａは、その上半部が駒本体２から突出しているとともに、下半部が溝２ｂ内に嵌め込まれている。
【００２５】
弦６は、張力によって、上方から２つの駒枕３Ａ，３Ａに点接触しているとともに、駒枕３Ａ，３Ａによって、駒本体２の上面との間に所定の間隔を存する状態に保持されている。この所定の間隔は、打弦時、弦６が駒本体２に接触しないように設定されている。
【００２６】
以上のように構成された長駒１Ａを用いた場合でも、実施形態の長駒１を用いた場合と同様の作用効果を得ることができる。すなわち、従来の丸棒のみで支持する駒を用いた場合と比べて、発音弦６ａの振動エネルギの損失を抑制できるとともに、そのような振動エネルギをバックストリングス６ｂに効率よく伝達することができる。それにより、打弦時における音の伸びを向上させることができるとともに、共振による倍音の発生効果を高めることができ、音質を向上させることができる。
【００２７】
なお、図４，５に示す長駒１Ａは、１本の弦６を支持するために、２つの駒枕３Ａ，３Ａを駒本体２に設けた例であるが、１本の弦６を支持するために、３つ以上の駒枕３Ａ，３Ａを駒本体２に設けるように構成してもよい。
【００２８】
また、実施形態は、駒支持部材として、円柱状の駒枕３を用いた例であるが、本発明の駒支持部材の形状はこれに限らず、弦が駒本体の上面に対して所定の間隙を存する状態で弦を下方から支持できる形状のものであればよい。
【００２９】
例えば、実施形態の長駒１に代えて、図６に示す長駒１Ｂを用いてもよい。同図に示すように、この長駒１Ｂの場合、前述した長駒１と比較すると、駒枕３に代えて駒枕３Ｂ（駒支持部材）を備えている点と、駒本体２の上面に溝が形成されていない点以外は、長駒１と同様に構成されているので、以下、駒枕３Ｂについてのみ説明する。
【００３０】
この駒枕３Ｂは、前述した駒枕３と同じ材質のものであり、駒枕３の上半分に相当する形状すなわち半円柱状に形成されている。この駒枕３Ｂは、前側駒ピン４の列および後ろ側駒ピン５の列と平行な状態で、駒本体２の上面に載置されている。弦６は、張力によって、上方から駒枕３Ｂに点接触しているとともに、駒枕３Ｂによって、駒本体２の上面との間に所定の間隔を存する状態に保持されている。この所定の間隔は、打弦時、弦６が駒本体２に接触しないように設定されている。
【００３１】
以上のように構成された長駒１Ｂを用いた場合でも、前述した長駒１，１Ａを用いた場合と同様の作用効果を得ることができる。すなわち、従来の丸棒のみで支持する駒を用いた場合と比べて、発音弦６ａの振動エネルギの損失を抑制できるとともに、そのような振動エネルギをバックストリングス６ｂに効率よく伝達することができる。それにより、打弦時における音の伸びを向上させることができるとともに、共振による倍音の発生効果を高めることができ、音質を向上させることができる。
【００３２】
さらに、図６の長駒１Ｂにおいて、駒枕３Ｂに代えて、図７に示す駒枕３Ｃ（駒支持部材）を用いてもよい。この駒枕３Ｃは、駒枕３Ｂと比較すると、その断面がほぼ三角形の形状を備えている点以外は、駒枕３Ｂと同様に構成されている。この駒枕３Ｃを用いた場合でも、上述した作用効果を得ることができる。
【符号の説明】
【００３３】
Ｐ  ピアノ
１  駒
１Ａ  駒
１Ｂ  駒
２  駒本体
３  駒枕（支持部材）
３Ａ  駒枕（支持部材）
３Ｂ  駒枕（支持部材）
３Ｃ  駒枕（支持部材）
４  前側駒ピン
５  後ろ側駒ピン
６  弦
８  響板
【図１】
2012208319.tif 000003
【図２】
2012208319.tif 000004
【図３】
2012208319.tif 000005
【図４】
2012208319.tif 000006
【図５】
2012208319.tif 000007
【図６】
2012208319.tif 000008
【図７】
2012208319.tif 000009